(57)【要約】【課題】使用性・取扱性等に優れ、利便性を大幅に向上する網具開閉装置及びこれを設けた網具を提供する。【解決手段】網具開閉装置１０は、網具１００の適所に設定される網口１０１を開閉する。網口１０１の周縁に沿って配置された内環１１と網具１００の網地によって内環１１と連結された外環１２とを有し、外環１２を内環１１に対して回転させることで網口１０１を開閉する。【選択図】        図１
2008011747.tif 000002
【特許請求の範囲】
【請求項１】
網具適所に設定される網口を開閉するための網具開閉装置であって、
前記網口の周縁に沿って配置された内環と前記網具の網地によって前記内環と連結された外環とを有し、前記外環を前記内環に対して回転させることにより前記網口を開閉し得るようにしたことを特徴とする網具開閉装置。
【請求項２】
前記内環及び前記外環は略同一径を有し、前記網地を介して連結される前記内環及び前記外環の間隔が、前記内環又は前記外環の直径以上の距離に設定されることを特徴とする請求項１に記載の網具開閉装置。
【請求項３】
前記外環の回転角度に応じて、実質的に前記網口の開度が調整可能であることを特徴とする請求項１又は２に記載の網具開閉装置。
【請求項４】
前記外環は、前記内環よりも小径であることを特徴とする請求項１に記載の網具開閉装置。
【請求項５】
前記内環及び前記外環の間隔が、前記内環又は前記外環の直径以下の距離に設定されることを特徴とする請求項１に記載の網具開閉装置。
【請求項６】
網地の一部が開口されてなる網口を有し、この網口に請求項１〜５のいずれか１項に記載の網具開閉装置を配設し、該網具開閉装置により前記網口を開閉可能にしたことを特徴とする網具。
【発明の詳細な説明】
【技術分野】
【０００１】
本発明は、種々の網漁具において、その網具適所に設定される網口を開閉するための網具開閉装置とこれを設けた網具に関するものである。
【背景技術】
【０００２】
網漁具によって漁獲した魚類を取り出すために、この種の網具には開閉部分が設けられている。例えば図９に示した生け簀の例では網具１００としての生け簀網の上部には、網口１０１が開口しており、網口１０１の周縁に生け簀枠１０２を有する。生け簀枠１０２には複数の浮き子１０３が取り付けられ、その下方に網具１００が垂下されるかたちで支持される。網口１０１から更に延出させた網地１０４にはロープ１０５が挿通され、このロープ１０５を図９（ｂ）のように締め上げることで、網口１０１を閉じるようにしている。或いはまた、網口１０１の網地１０４を束ねてロープ等によって閉じる等の方法がとられる。
【０００３】
生け簀網は海上で漁獲した魚を活魚状態で保ち、或いは養殖で魚を飼うために海上で使う装置であり、全ての作業は海上で小船に乗った作業人によって行われる。生け簀網は四角形（六角形或いは八角形等も含む）や円形の生け簀枠１０２に浮き子１０３を取り付け、海面に浮かせて使用される。生け簀枠１０２によって形成される開口部（網口１０１）には必ずしも蓋を設ける必要はないが、波や潮流の具合により生け簀枠１０２が傾いて海面下に下がると、生け簀内に収容されている魚が逃げてしまう危険がある。また、海鳥類が網内の魚を食べてしまうため、一般には網地１０４による蓋をするようにしている。
【０００４】
【特許文献１】特開平５−２１１８３０号公報
【発明の開示】
【発明が解決しようとする課題】
【０００５】
ところで、網地１０４の蓋は１枚の網を広げて所謂、“鍋蓋”のように被せるのではなく、生け簀枠１０２の中心部から外側に向かって広げていく、言わば巾着の形態のような方法である。網地１０４を中心で絞りまとめる作業は１〜２人で可能である。一方、開く場合は中心から周辺の生け簀枠１０２へと広げていくが、四角枠で考えると４人が連携して中心の網を引っ張り広げる作業となる。このように一旦閉じた網口１０１を開く際にはかなりの手間がかかり、作業効率が悪くならざるを得なかった。生け簀網の例で説明したが、その他の網漁具の場合も含めて従来では絡み易い網地を取り扱うのは容易ではなく、使用性及び取扱性等において改善の余地があった。
【０００６】
なお、特許文献１には基部環体の両側に中央に向けて傾斜する枢着環を設け、この枢着環に両側が緩い傾斜状で中央部が水平状に形成された２本の張り骨体と、半円状の固定側張り骨体を枢着し、これらの外周面に網体を張設して折畳み可能にした捕獲かごが開示されている。
【０００７】
本発明はかかる実情に鑑み、使用性・取扱性等に優れ、利便性を大幅に向上する網具開閉装置及びこれを設けた網具を提供することを目的とする。
【課題を解決するための手段】
【０００８】
本発明による網具開閉装置は、網具適所に設定される網口を開閉するための網具開閉装置であって、前記網口の周縁に沿って配置された内環と前記網具の網地によって前記内環と連結された外環とを有し、前記外環を前記内環に対して回転させることにより前記網口を開閉し得るようにしたことを特徴とする。
【０００９】
また、本発明による網具開閉装置において、前記内環及び前記外環は略同一径を有し、前記網地を介して連結される前記内環及び前記外環の間隔が、前記内環又は前記外環の直径以上の距離に設定されることを特徴とする。
【００１０】
また、本発明による網具開閉装置において、前記外環の回転角度に応じて、実質的に前記網口の開度が調整可能であることを特徴とする。
【００１１】
また、本発明による網具開閉装置において、前記外環は、前記内環よりも小径であることを特徴とする。
【００１２】
また、本発明による網具開閉装置において、前記内環及び前記外環の間隔が、前記内環又は前記外環の直径以下の距離に設定されることを特徴とする。
【００１３】
また、本発明による網具は、網地の一部が開口されてなる網口を有し、この網口に上記いずれかの網具開閉装置を配設し、該網具開閉装置により前記網口を開閉可能にしたことを特徴とする。
【発明の効果】
【００１４】
本発明によれば、外環を内環に対して右又は左に回転することで、網地に絞り部が生じる。この絞り部は外環の回転量に従って次第にその度合いを増し、略１８０°回転したところで完全に括れた状態になり、網地の開口部が閉塞してこの結果、網口を閉めることができる。
【００１５】
この場合、外環の回転角度を１８０°以下、即ち０〜１８０°内の任意角度で止めることで、その絞り部の開口部を任意に大ききに設定することができる。絞り部によって形成される開口部の大きさは、実質的に網口の開度となり、外環の回転角度もしくは回転量に応じて、網口の開度を調整可能とする。
【発明を実施するための最良の形態】
【００１６】
以下、図面に基づき、本発明による網具開閉装置及びこれを設けた網具の好適な実施の形態について説明する。
網漁具や生け簀等で使用される網具には、前述したように漁獲した魚類を出入れするために開閉部分が設けられ、この開閉部分には網口が設定される。この実施形態において、本発明装置によりかかる網口を開閉するものとする。
【００１７】
図１は、本発明による網具開閉装置の要部構成を示している。網具開閉装置１０は、網具１００の網口１０１の周縁に沿って配置された内環１１と、この内環１１と連結された外環１２とを有する。内環１１及び外環１２は網地１３によって相互に連結されるが、典型的には網具１００自体の網地を使用するとよい。このように連結された内環１１及び外環１２において、外環１２を内環１１に対して回転させることにより網口１０１を開閉するようになっている。
【００１８】
内環１１及び外環１２は典型的には円形とし、両者は略同一径を有する。網地１３を介して連結されるこれら内環１１及び外環１２の間隔は、内環１１又は外環１２の直径以上の距離に設定される。なお、この間隔は後述するように変更可能である。
【００１９】
ここで、内環１１及び外環１２の材質等につき、木材、金属（典型的には鉄、特にステンレス鋼等）或いはプラスチック（典型的にはポリエチレン等）が好適である。なお、これら以外のものでも必要に応じて適宜使用可能である。これらの材料により直径３０ｍｍ程度の管材により形成される。また内環１１及び外環１２の環径としては数十メートル程度の大きさも可能であるが、使い易さ等を考慮すると環径５ｍ程度まで、特に２〜３ｍ程度が好適である。なお、網口１０１の形状として例えば生け簀網等にあっては、四角形、六角形或いは八角形のもの等があるが、これらの場合も円形（即ち環状）と同様に取り扱い、詰まりそれらに対応する直径を以って大きさの基準とするものとする。
【００２０】
内環１１及び外環１２を連結するには、例えば細いロープ等を用いて網地１３に縛り止めるのが簡便な方法である。縛る箇所は１〜数箇所でよく、使用条件等に応じて適宜選択することができる。例えば平穏な海域で使用する場合には１箇所で十分であるが、波の荒い海域等においては数箇所程度止めるようにするとよい。
【００２１】
この場合、内環１１と外環１２とは必ずしも相互に縛り合う必要はなく、内環１１或いは外環１２周辺の網地１３にいずれか一方をロープ等を用いて直接縛り止めるようにしてもよい。また、内環１１は例えばロープ等を用いて、網具１００の網口１０１周辺の網地に固定することができる。
【００２２】
上記構成において、先ず外環１２を内環１１に対して回転させることにより網口１０１を開閉することができる。これを原理的に説明すると、図３に示されるように外環１２を右又は左に回転することで、網地１３に絞り部１３ａが生じる。この絞り部１３ａは外環１２の回転量に従って次第にその度合いを増し、略１８０°回転したところで図示のように完全に括れた状態になり、網地１３の開口部が閉塞してこの結果、網口１０１を閉めることができる。
【００２３】
この場合、外環１２の回転角度を１８０°以下、即ち０〜１８０°内の任意角度で止めることで、図４に示すように絞り部１３ａの開口部を任意の大ききに設定することができる。絞り部１３ａによって形成される開口部の大きさは、実質的に網口１０１の開度となり、このように外環１２の回転角度もしくは回転量に応じて、網口１０１の開度を調整可能とする。
【００２４】
ここで、開口部は上記のように可変であるが、基本的には外環１２の大きさによって決定される。この場合、外環１２は内環１１よりも小径とすることも可能である。使用条件等に応じて外環１２の大きさを適宜設定することで、使用状況に合わせた最適な網具開閉装置１０を構成することができる。
【００２５】
また、内環１１及び外環１２の間隔を、内環１１又は外環１２の直径以下の距離に設定することも可能である。前述した例のように内環１１及び外環１２の間隔をそれらの直径以下とすることで、網地１３の開口部を完全に閉塞することができる。内環１１及び外環１２を直径以下の長さの網地１３で連結することにより、任意の大きさの開口部を形成することができる。
【００２６】
更に、取り付けるべき漁具等の構造によっては内環１１は必要なく、外環１２のみで同等の機能を確保することができる。
【００２７】
次に、本発明による網具開閉装置１０の具体的な適用例を説明する。図５及び図６の例は生け簀網に適用したものであり、網具１００としての生け簀網の網口１０１の周縁に生け簀枠１０２を有し、その下方に網具１００が垂下されるかたちで配置される。生け簀枠１０２には複数の浮き子１０３が取り付けられ、水面に浮遊するようになっている。網具１００には生け簀網の網容積を確保するために、例えばポリエチレン製等の輪状体１０６が配置されている。
【００２８】
この例では生け簀枠１０２は例えば四角形に構成され、内環１１として機能する。既存の生け簀枠１０２を利用することで、図５のように外環１２と網地１３を用いて構成することができる。なお、生け簀枠１０２が小さい場合、陸上作業にて生け簀網をロープ１４で生け簀枠１０２に取り付け、これを海上に浮かべるだけでよい。また、大きい場合には生け簀枠１０２を海上に浮かべておき、これに生け簀網を取り付ける。このような生け簀網にその蓋となる外環１２と網地１３を取り付けることになる。
【００２９】
この実施形態において生け簀枠１０２の一辺の長さが例えば３ｍ程度とする。このとき外環１２の直径Ａ＝３ｍ程度、生け簀の蓋となる網地１３の丈Ｂ＝３．５ｍ程度に設定される。なお、外環１２は例えばポリエチレン製の直径３０ｍｍ程度の管材により形成される。図５（ａ）或いは図６（ａ）において網地１３の下部は生け簀網と繋がれ、上部は外環１２と所定間隔で繋がれる。網地１３と外環１２とがずれないように縛ればよい。この場合、ずれても機能的には問題ないが、網地１３が偏ってダブついた部位と緊張した部位が生じ、そのままでは網地１３に力が作用したときに破網する場合がある。そこで、外環１２の少なくとも２箇所に短いロープを取り付け、生け簀枠１０２に縛ることで外環１２を止めることができる。
【００３０】
この実施形態程度の大きさであれば、陸上に作業スペースがあれば陸上で制作して海に入れれば完成する。生け簀枠１０２と外環１２以外は網地であるため、陸上では“ペシャンコ”になり、海に入れるときに上下を間違えずに行うことで、自然と図示のような形状になる。陸上に場所が確保できない場合には、最初に生け簀枠１０２を海上に浮かべ、これに生け簀網を取り付け、更に蓋となる網地１３と外環１２を取り付ける。これらの作業は小舟（ボート）を使って行うことで、船（作業場所）と水面との距離が近くなり、作業者の手が届き易く作業を容易化することができる。なお、大きな船の甲板上で制作しても良い。
【００３１】
上記のように海上に投入された生け簀網は、外環１２を回していくことで内環１１と外環１２を繋いでいる網地１３が次第に絞られて、図５（ｂ）に示されるように生け簀網の網口１０１が塞がる。この場合、外環１２を回して行くと周辺部から閉じていく、詰まりカメラの露出機構と同じように外側から内側へと閉じる。また、外環１２の回転を適当なところで止めれば、中心部は網地１３がない広がりとなり、即ち開口となる。なお、この作業は外環１２を水面に浮かせた状態で行うため、外環１２を持ち上げる必要はない。
【００３２】
ここで、網口１０１を完全に閉じる必要がない場合がある。海面に浮いている内環１１、即ち生け簀網に魚を入れる場合、入れる魚の量が少ない場合は外環１１を適度に少し回転させ、そのとき開いた海面から網内へ魚を入れれば良い。魚を多量に入れる場合は、全部開けた方が作業がし易い。逆に生け簀網内から魚を取り上げる場合も、少量であれば生け簀網内に魚が沢山収容されている場合は、外環１２を少し回転させ、狭い開口部を介して海面から網内の魚を掬い出すことができる。生け簀網内の魚を全部取り上げる場合や、生け簀網内の魚が少ない場合は全部を開けて作業をしないと魚を掬えない。また、生け簀網内に収容した魚に餌を与える場合は、全部開ける必要はなく、一部開けたところから餌を供給すれば良い。
【００３３】
生け簀枠１０２は、上述のように四角形に構成される場合の他、六角形或いは八角形等も可能であり、更には図６（ｂ）に示したように円形とすることもできる。
【００３４】
本発明による網具開閉装置１０の更に別の適用例を説明する。この例は篭網に適用したものである。ここで、篭網はカニ類、バイ貝、イカ類、タコ類、エビ類、魚等を獲る漁具として使われる。篭に餌を入れておき、この餌を求めて籠に取り付けた入り口から入った漁獲対象生物が出られなくして漁獲されるというものである。入り口は、籠の上面（天井）部分や側面に取り付けられるが、多種多様ものがある。漁獲後に篭から生物を取り出す際には、狭い入り口からでは取り出し難ため、別に取り出し口を設けるか底面或いは側面を開けられるようにし、或いは底面の網地を巾着式に絞って締めるようになっている。
【００３５】
本発明による篭網への適用例において二重リング式底面とし、簡単に開閉可能とすることで篭へ入れる餌の出し入れや、漁獲物の出し入れを容易化することができる。即ち、図７に示したように網具１００としての篭網の底面には網口１０１が設けられる。この網口１０１の部位に本発明による網具開閉装置１０が設定される。なお、図示例のように篭網の上面（天井）部分に入り口１０７を有する。
【００３６】
即ち、網口１０１の周縁に沿って配置された内環１１と、この内環１１と連結された外環１２とを有し、これら内環１１及び外環１２は網地１３によって相互に連結される。これらの具体的構成において、前述した実施形態（例えば図１等）の場合と実質的に同様であってもよく、内環１１及び外環１２は典型的には円形とし、両者は略同一径を有する。網地１３を介して連結される内環１１及び外環１２の間隔は、内環１１又は外環１２の直径以上の距離に設定される。
【００３７】
この例でも外環１２を内環１１に対して回転させることにより網口１０１を開閉することができ、即ち図７（ａ）のように篭網底面部を開放することで、漁獲後に生物を篭網から容易に取り出すことができる。また、図７（ｂ）のように網口１０１を閉めて、漁場にセットされる。
【００３８】
更に、本発明による網具開閉装置１０の底曳網類に対する適用例を説明する。ここで先ず、現在の日本では資源管理のために様々な漁具において、幼稚魚類を逃がす所謂“選択網”が開発使われつつある。底曳網系にあっては早くからこの問題に取り組んでおり、様々なタイプの選択網が日本各地の沿岸漁業で使われている。
【００３９】
選択網の構造装置は多種多様で複雑でるが、本来底曳網の基本構造は網の中には何もない状態となっている。この網内に小さな魚と大きな魚、或いはエビを分離するための装置を取り付けたり、網構造を変えて分離・選択機能を持たせている。金属やプラスティック製の選別グリッド（篩のようなもの）を使うものと網地で選別するもの、或いは上下に網を重ねるもの等がある。選択網は幼稚魚を逃がすのが目的であるが、その選別段階でゴミと生物を分離するのが一般的である。選択網の構造は地域により異なり、陸上で使用される工業製品のように規格化されたものではない。
【００４０】
図８は、本発明における底曳網への適用例を示している。図において、網具１００としての底曳網は中空の基本構造を有し、その適所には網容積を確保するための複数の輪状体１０８が配置されている。また、魚とゴミ或いは、小魚を分離するための網体１０９が斜めに張架されている。
【００４１】
この実施形態では、漁業者がゴミを取りだしたり、修理のために必要な箇所に網具開閉装置１０を適宜取り付けるようになっている。網具開閉装置１０を取り付ける場所は、漁業者においてそれぞれで異なり、逆にどこでも取り付け可能とする点が特徴である。この網具開閉装置１０を取り付けることにより、底曳網を破かないで網の一部を簡単に開くことができ、内部にあるゴミや魚の取り出しや内部の網や部品の修理が行うことができる。
【００４２】
なお、本発明の好適な実施形態を説明したが、本発明は上述した実施形態にのみ限定されるものではなく、必要に応じて適宜変更等が可能である。
例えば、内環１１及び外環１２は典型的には円形とした例を説明したが、この場合に限らず各種多角形とすることも可能である。
【図面の簡単な説明】
【００４３】
【図１】本発明の網具開閉装置の実施形態における要部構成を示す斜視図及び平面図である。
【図２】本発明の実施形態における内環及び網具の結合構造を示す斜視図である。
【図３】本発明の網具開閉装置の実施形態における作用を示す斜視図及び平面図である。
【図４】本発明の網具開閉装置の実施形態における作用を示す斜視図及び平面図である。
【図５】本発明の実施形態における生け簀網への適用例を示すそれぞれ斜視図である。
【図６】本発明の実施形態における生け簀網への適用例を示すそれぞれ分解斜視図である。
【図７】本発明の実施形態における篭網への適用例を示すそれぞれ斜視図である。
【図８】本発明の実施形態における底曳網への適用例を示す斜視図である。
【図９】従来の網具の例を示すそれぞれ斜視図である。
【符号の説明】
【００４４】
１０  網具開閉装置
１１  内環
１２  外環
１３  網地
１４  ロープ
１００  網具
１０１  網口
１０２  生け簀枠
１０３  浮き子
１０６  輪状体
【図１】
2008011747.tif 000003
【図２】
2008011747.tif 000004
【図３】
2008011747.tif 000005
【図４】
2008011747.tif 000006
【図５】
2008011747.tif 000007
【図６】
2008011747.tif 000008
【図７】
2008011747.tif 000009
【図８】
2008011747.tif 000010
【図９】
2008011747.tif 000011